(57)【要約】【課題】効果的なマッサージを容易に行うことが可能な頭皮ケア装置を提供する。【解決手段】施術子１６，１７が設けられたインナーハウジング３がアウターハウジング２に対して回転可能に支持され、インナーハウジング３の向きをアウターハウジング２の向きに依らず一定に保つように自動調整可能に構成される。【選択図】図２
2012045088.tif 000002
【特許請求の範囲】
【請求項１】
駆動源及びその駆動源に電力供給する電源を内部に備えたインナーハウジングと、
前記インナーハウジングを回転可能に支持するアウターハウジングと、
前記インナーハウジングに設けられ、前記駆動源の駆動に基づき動作して頭皮に刺激を与える施術子と
を備え、前記インナーハウジングの向きを前記アウターハウジングの向きに依らず一定に保つように自動調整可能に構成されたことを特徴とする頭皮ケア装置。
【請求項２】
請求項１に記載の頭皮ケア装置において、
前記インナーハウジングの重心が前記インナーハウジングの回転軸からずれて構成され、
前記インナーハウジングの回転軸が鉛直方向に対して傾いた状態で、前記インナーハウジングの向きが自動的に調整可能に構成されたことを特徴とする頭皮ケア装置。
【請求項３】
請求項２に記載の頭皮ケア装置において、
前記インナーハウジングには、前記インナーハウジングの重心を前記インナーハウジングの回転軸からずらすためのおもりが設けられたことを特徴とする頭皮ケア装置。
【請求項４】
請求項３に記載の頭皮ケア装置において、
前記おもりは、着脱可能に構成されたことを特徴とする頭皮ケア装置。
【請求項５】
請求項２に記載の頭皮ケア装置において、
前記インナーハウジングの内部における前記駆動源及び前記電源の配置により前記インナーハウジングの重心が前記インナーハウジングの回転軸からずれて構成されたことを特徴とする頭皮ケア装置。
【請求項６】
請求項１〜５のいずれか１項に記載の頭皮ケア装置において、
前記施術子は複数設けられ、それらの間の中心が前記インナーハウジングの回転軸上に位置するように構成されたことを特徴とする頭皮ケア装置。
【請求項７】
請求項１〜６のいずれか１項に記載の頭皮ケア装置において、
前記施術子が頭皮に接触された状態において前記インナーハウジングが前記アウターハウジングに対して回転しないようにロックするロック機構を備えたことを特徴とする頭皮ケア装置。
【発明の詳細な説明】
【技術分野】
【０００１】
本発明は、頭皮のマッサージをするための頭皮ケア装置に関するものである。
【背景技術】
【０００２】
従来、例えば特許文献１の頭皮ケア装置では、ハウジングに設けられた施術子が駆動源の駆動により動作するように構成されており、使用者がハウジングを把持し、動作する施術子を頭皮に接触させて機械的な刺激を与えることで、血流促進等の頭皮のケア効果が得られるようになっている。
【先行技術文献】
【特許文献】
【０００３】
【特許文献１】特開２００７−２６０４２６号公報
【発明の概要】
【発明が解決しようとする課題】
【０００４】
ところで、上記のような頭皮ケア装置では、使用時において施術子が効果的に頭皮に接触するハウジングの好適な向きがあるが、それを意識してハウジングの向きを変えながら使用するのは煩わしく、この点の改善が望まれている。
【０００５】
本発明は、上記課題を解決するためになされたものであって、その目的は、効果的なマッサージを容易に行うことが可能な頭皮ケア装置を提供することにある。
【課題を解決するための手段】
【０００６】
上記課題を解決するために、本発明の頭皮ケア装置は、駆動源及びその駆動源に電力供給する電源を内部に備えたインナーハウジングと、前記インナーハウジングを回転可能に支持するアウターハウジングと、前記インナーハウジングに設けられ、前記駆動源の駆動に基づき動作して頭皮に刺激を与える施術子とを備え、前記インナーハウジングの向きを前記アウターハウジングの向きに依らず一定に保つように自動調整可能に構成されたことを特徴とする。
【０００７】
また上記構成において、前記インナーハウジングの重心が前記インナーハウジングの回転軸からずれて構成され、前記インナーハウジングの回転軸が鉛直方向に対して傾いた状態で、前記インナーハウジングの向きが自動的に調整可能に構成されたことが望ましい。
【０００８】
また上記構成において、前記インナーハウジングには、前記インナーハウジングの重心を前記インナーハウジングの回転軸からずらすためのおもりが設けられたことが望ましい。
【０００９】
また上記構成において、前記おもりは、着脱可能に構成されたことが望ましい。
また上記構成において、前記インナーハウジングの内部における前記駆動源及び前記電源の配置により前記インナーハウジングの重心が前記インナーハウジングの回転軸からずれて構成されたことが望ましい。
【００１０】
また上記構成において、前記施術子は複数設けられ、それらの間の中心が前記インナーハウジングの回転軸上に位置するように構成されたことが望ましい。
また上記構成において、前記施術子が頭皮に接触された状態において前記インナーハウジングが前記アウターハウジングに対して回転しないようにロックするロック機構を備えたことが望ましい。
【発明の効果】
【００１１】
本発明によれば、効果的なマッサージを容易に行うことが可能な頭皮ケア装置を提供することができる。
【図面の簡単な説明】
【００１２】
【図１】本実施形態の頭皮ケア装置の概略構成図である。
【図２】本実施形態の頭皮ケア装置をインナーハウジングの回転軸方向から見た模式図である。
【図３】別例の頭皮ケア装置をインナーハウジングの回転軸方向から見た模式図である。
【図４】別例の頭皮ケア装置をインナーハウジングの回転軸方向から見た模式図である。
【図５】（ａ）（ｂ）別例の頭皮ケア装置をインナーハウジングの回転軸方向から見た模式図である。
【図６】別例の頭皮ケア装置をインナーハウジングの回転軸方向から見た模式図である。
【図７】（ａ）（ｂ）別例の頭皮ケア装置を説明するための概略構成図である。
【発明を実施するための形態】
【００１３】
以下、本発明を具体化した一実施形態を図面に従って説明する。
図１に示すように、本実施形態の頭皮ケア装置１は、把持可能なアウターハウジング２と、アウターハウジング２に支持されたインナーハウジング３とを備えている。
【００１４】
アウターハウジング２は、図１及び図２に示すように、円形の底部２ａと、底部２ａの外縁から延びる円筒状の側壁部２ｂとを有している。アウターハウジング２の底部２ａの中央には、ボールベアリングからなる軸受４が固定されている。この軸受４は、インナーハウジング３の底部３ａに固定された軸部５を回転可能に支持する。
【００１５】
インナーハウジング３は、外観が略直方体状をなしており、底部３ａと側壁部３ｂと上壁部３ｃとを備える。インナーハウジング３の底部３ａには、軸部５が一体回転可能に固定されている。これにより、インナーハウジング３は、アウターハウジング２に対して軸部５の中心である回転軸Ｌで回転可能に支持されている。尚、この回転軸Ｌは、平面視でインナーハウジング３の中心及びアウターハウジング２の中心に設定されている（図２参照）。
【００１６】
インナーハウジング３の内部には、電源としてのバッテリ１１と、２つの出力軸１２，１３を回転駆動するための駆動源としてのモータ１４とが収容保持されている。モータ１４は、バッテリ１１の電力に基づいて駆動されるようになっている。出力軸１２，１３はそれぞれ、インナーハウジング３の上部から先端側が外部に突出するように、インナーハウジング３の上壁部３ｃに設けられた軸受１９ａ，１９ｂに回転可能に支持されている。出力軸１２，１３のインナーハウジング３内の基端側には、出力軸ギヤ１２ａ，１３ａが設けられている。また、インナーハウジング３の側壁部３ｂには、使用者が頭皮ケア装置１をオンオフ操作するためのスイッチ１８が設けられている。
【００１７】
モータ１４は、回転軸１４ａを回転駆動可能なものであって、該回転軸１４ａの先端部には回転軸ギヤ１４ｂが設けられている。そして、モータ１４は、回転軸ギヤ１４ｂが前記出力軸ギヤ１２ａに噛合されるようにインナーハウジング３内に収容保持されることで、出力軸１２を回転駆動可能とされている。また、モータ１４は、回転軸ギヤ１４ｂが、インナーハウジング３内で回転可能に支持されるとともに前記出力軸ギヤ１３ａと噛合した反転ギヤ２０に噛合されるように保持されることで、出力軸１３を前記出力軸１２とは逆方向に回転駆動可能とされている。このモータ１４はインナーハウジング３内に収容保持された制御部２１と電気的に接続され、該制御部２１はバッテリ１１とスイッチ１８とに電気的に接続されている。
【００１８】
出力軸１２，１３の先端には、突起１５を有する施術子１６，１７がそれぞれ連結されている。施術子１６，１７は、出力軸１２，１３の中心である第１の軸Ｘ１からずれた第２の軸Ｘ２中心で出力軸１２，１３に対して回転可能に設けられる回転部材３１と、前記第１の軸Ｘ１に対して偏った位置に配置（第２の軸Ｘ２の周囲に配置）されるように回転部材３１に設けられた複数の突起１５とを有する。尚、本実施形態では、突起１５は、施術子１６，１７毎に４つずつ（図１中、２つずつのみ図示）設けられている。
【００１９】
詳しくは、出力軸１２，１３の先端と施術子１６，１７とは、回転板３２、回転支持部材３３及び軸受３４を介して連結されている。回転板３２は、円盤状に形成され、その中心孔３２ａに出力軸１２，１３の先端が嵌入されて固定されている。回転支持部材３３は、略円柱状に形成されるとともに下端にフランジ部が形成され、その軸中心が出力軸１２，１３の中心である第１の軸Ｘ１からずれた第２の軸Ｘ２中心となるように前記回転板３２上に固定されている。一方、施術子１６，１７の回転部材３１は、略円盤状の円盤部３１ａと、円盤部３１ａの下面から筒状に延びる筒部３１ｂとを有する。そして、施術子１６，１７は、その回転部材３１における筒部３１ｂの内周面が軸受３４を介して前記回転支持部材３３の外周面に回転可能に支持されている。
【００２０】
また、突起１５は、エラストマー等の弾性部材よりなり、略円錐形状に形成され、本実施形態では円盤部３１ａの上部に（第２の軸Ｘ２と平行に）上方に突出するように４つ固定されている。これら各施術子１６，１７における４つの突起１５は、それぞれ前記第２の軸Ｘ２を中心として均等な距離に等角度（９０°）間隔に配置されている。また、施術子１６，１７は、それぞれ連結される出力軸１２，１３によって、互いに逆方向に回転駆動される。そして、本実施形態における施術子１６，１７は、それぞれ連結される出力軸１２，１３の軸方向から見て同出力軸１２，１３同士を結ぶ線分の垂直二等分線Ｙに対して線対称に動作するように設定されている。
【００２１】
このように構成された頭皮ケア装置１では、スイッチ１８が使用者によってオン操作されると、制御部２１は、モータ１４（その回転軸１４ａ）を回転駆動させるための駆動電流をバッテリ１１からモータ１４に供給する。そして、モータ１４の回転軸１４ａが回転駆動されると、出力軸１２，１３及び回転板３２が前記第１の軸Ｘ１を中心として一体回転する。また、このとき、回転支持部材３３及び施術子１６，１７（その軸中心）が前記第１の軸Ｘ１を周回するように前記第１の軸Ｘ１を中心として回転する。そして、施術子１６，１７の突起１５を頭皮に接触させると、突起１５の動きに合わせて使用者の頭皮が動かされることになり、頭皮がマッサージされるようになっている。
【００２２】
尚、施術子１６，１７は、第２の軸Ｘ２中心で回転可能に支持されているため、突起１５に接触される頭皮や毛髪との摩擦等の負荷によって例えば、第２の軸Ｘ２に対する突起１５の位置関係を一定としたまま第１の軸Ｘ１中心に回転することが可能とされている。よって、負荷（頭皮や毛髪との摩擦等）によっては、各突起１５が第１の軸Ｘ１を中心として（それぞれがそれぞれの半径で）単純に回転する運動に基づいて施術子に毛髪が絡まってしまうといった現象を回避することができる。また、本実施形態の２つの施術子１６，１７は、それぞれ第１の軸Ｘ１を中心として回転する際であって、互いに近づき合うように動作する際に、それぞれの突起１５（の群）の間に頭皮を挟み込むようにして刺激を与えることが可能とされている。
【００２３】
上記したような頭皮ケア装置１において、インナーハウジング３の側壁部３ｂの内側面には、おもりＷが固着されている。おもりＷは、側面視で矩形の平板状をなし、その中心（重心）が出力軸１２，１３を結ぶ線分の垂直二等分線Ｙと平面視で重なる位置に設けられている。ここで、図２に示すように、おもりＷを除いた構成のインナーハウジング３の重心は、施術子１６，１７間の中心（本実施形態では出力軸１２，１３間の中心Ｃであって、第１の軸Ｘ１同士を結ぶ線分の中心）と重なるように設定されている。これにより、おもりＷを含めたインナーハウジング３の重心Ｇは、平面視で前記垂直二等分線上であって出力軸１２，１３間の中心Ｃからずれた位置に設定されることとなる。
【００２４】
また、出力軸１２，１３間の中心Ｃは、アウターハウジング２に対するインナーハウジング３の回転軸Ｌ（軸部５の中心）上に位置するように設定されている。即ち、インナーハウジング３の重心Ｇは、平面視で出力軸１２，１３を結ぶ線分の垂直二等分線Ｙ上であってインナーハウジング３の回転軸Ｌからずれた位置に設定されている。
【００２５】
このように、インナーハウジング３の重心Ｇが回転軸Ｌからずれているため、回転軸Ｌが鉛直方向に対して傾いた状態（回転軸Ｌが水平な状態も含む）では、インナーハウジング３はその重心Ｇ（おもりＷ）が回転軸Ｌの真下にくるように回転する。そして、インナーハウジング３の重心Ｇが回転軸Ｌの真下に位置する状態では、出力軸１２，１３の先端（即ち、施術子１６，１７）が水平に並んだ状態となるとともに、施術子１６，１７の間で頭皮を挟み上げるようなマッサージを行う。本実施形態の頭皮ケア装置１では、この施術子１６，１７が水平に並ぶインナーハウジング３の向きが、効果的に頭皮マッサージをすることが可能なインナーハウジング３の向きとなっている。
【００２６】
このような頭皮ケア装置１では、使用者はアウターハウジング２を把持して施術子１６，１７を頭皮に接触させて頭皮マッサージを行う。このとき、インナーハウジング３の向きがアウターハウジング２の向きに依らず施術子１６，１７が水平に並ぶように一定に保たれるようになっている。例えば、アウターハウジング２が図２示す状態から回転軸Ｌを中心に９０°回転された場合でも、インナーハウジング３の向き（回転角度）は、重心Ｇが回転軸Ｌの下方に位置する状態、即ち、施術子１６，１７が水平に並んで挟み上げマッサージが可能な状態に維持される。このため、頭皮のマッサージ中に使用者が頭皮ケア装置１の向きを好適な向き（施術子１６，１７が水平な向き）に意識的に合わせる必要がなくなり、容易に効果的な頭皮マッサージを行うことが可能となっている。
【００２７】
また、本実施形態の頭皮ケア装置１では、インナーハウジング３に設けられたおもりＷによってインナーハウジング３の重心Ｇが回転軸Ｌからずれるように構成されているため、おもりＷの追加だけでインナーハウジング３の向きの自動調整が可能となっている。また、出力軸１２，１３の間の中心Ｃが、インナーハウジング３の回転軸Ｌ上に位置するように構成されるため、使用時におけるインナーハウジング３の回転ブレが抑制されるようになっている。
【００２８】
次に、本実施形態の特徴的な作用効果を記載する。
（１）施術子１６，１７が設けられたインナーハウジング３がアウターハウジング２に対して回転可能に支持され、インナーハウジング３の向きをアウターハウジング２の向きに依らず一定に保つように自動調整可能に構成される。これにより、アウターハウジング２を把持してインナーハウジング３に設けられた施術子１６，１７で頭皮のマッサージをする際に、インナーハウジング３の向きがアウターハウジング２の向きに依らず自動的に一定に保たれる。このため、施術子１６，１７が効果的に頭皮に接触するようにインナーハウジング３の向きを設定すれば、頭皮のマッサージ中に使用者が頭皮ケア装置１の向きを好適な向きに意識的に合わせる必要がなくなる。従って、効果的な頭皮マッサージを容易に行うことが可能となる。
【００２９】
（２）インナーハウジング３の重心Ｇが回転軸Ｌからずれて構成され、インナーハウジング３の回転軸Ｌが鉛直方向に対して傾いた状態で、インナーハウジング３の向きが自動的に調整可能に構成される。頭皮ケア装置１は、一般に使用状態においてインナーハウジング３の回転軸Ｌが鉛直方向に対して傾いた状態とされるため、この状態ではインナーハウジング３は、その重心Ｇがインナーハウジング３の回転軸Ｌの真下にくるように回転する。これにより、インナーハウジング３の向きが自動調整される。従って、簡素な構成でインナーハウジング３の向きをアウターハウジング２の向きに依らず一定に保つように自動調整可能に構成することができる。
【００３０】
（３）インナーハウジング３には、インナーハウジング３の重心Ｇをインナーハウジング３の回転軸ＬからずらすためのおもりＷが設けられる。このため、おもりＷの追加だけでインナーハウジング３の重心Ｇをインナーハウジング３の回転軸Ｌからずらすことができる。また、おもりＷを設ける位置によって回転軸Ｌに対するインナーハウジング３の重心Ｇのずれ方向を設定できるため、簡素な構成でインナーハウジング３の向きを設定することが可能となる。
【００３１】
（４）２つの施術子１６，１７（出力軸１２，１３）の間の中心Ｃが、インナーハウジング３の回転軸Ｌ上に位置するように構成されるため、使用時におけるインナーハウジング３の回転ブレを抑制することが可能となる。尚、この作用効果は、施術子１６，１７が第１の軸Ｘ１を中心に同期して回転する構成の場合に特に顕著に現れる。
【００３２】
尚、本発明の実施形態は、以下のように変更してもよい。
・上記実施形態では、おもりＷを除いた構成のインナーハウジング３の重心が回転軸Ｌ上に設定され、インナーハウジング３に設けたおもりＷによって重心Ｇが回転軸Ｌからずれるように構成されたが、これに特に限定されるものではない。例えば、図３に示すように、インナーハウジング３におもりを設けず、インナーハウジング３の内部におけるモータ１４及びバッテリ１１の配置によってインナーハウジング３の重心Ｇが回転軸Ｌからずれるように構成してもよい。また、例えば図４に示すように、おもりＷを除いた構成とした上記実施形態のインナーハウジング３の設置位置を回転軸Ｌからずらすことによってインナーハウジング３の重心Ｇが回転軸Ｌからずれるように構成してもよい。これらの構成によれば、インナーハウジング３の重心Ｇをずらすためにおもり等の別部材を設けずに済むため、部品点数の増加を抑えることができる。
【００３３】
・上記実施形態では、インナーハウジング３の側壁部３ｂの内側面に固着されたが、これに特に限定されるものではなく、おもりＷを着脱可能に構成してもよい。例えば、図５（ａ）（ｂ）に示す例では、インナーハウジング３の側壁部３ｂの四方の内側面には、おもりＷを取り付けるためのフック４１がそれぞれ設けられている。尚、側壁部３ｂの四方の内側面は、出力軸１２，１３間を結ぶ線分の垂直二等分線Ｙと直交する一対の内側面３ｄと、垂直二等分線Ｙと平行な一対の内側面３ｅとからなる。
【００３４】
この図５に示す例では、フック４１に対し、おもりＷを第１の軸Ｘ１方向（紙面直交方向）に挿入した後、蓋体（図示略）を取り付けることで、おもりＷがフック４１から抜けないようになっている。または、フック４１をスナップフィット構造として、おもりＷを第１の軸Ｘ１と直交する方向（紙面方向）からフック４１に挿入することで着脱可能に取り付けるようにしてもよい。
【００３５】
図５（ａ）に示すように、おもりＷを内側面３ｄのフック４１に取り付けた場合、インナーハウジング３の向きがアウターハウジング２の向きに依らず施術子１６，１７が水平に並ぶように一定に保たれるようになっている。一方、図５（ｂ）に示すように、おもりＷを内側面３ｅのフック４１に取り付けた場合、インナーハウジング３の向きがアウターハウジング２の向きに依らず施術子１６，１７が上下に並ぶように一定に保たれるようになっている。このような構成によれば、おもりＷの設置位置によってインナーハウジング３を使用者の好みに合わせた向きに一定に保つことが可能となる。
【００３６】
・上記実施形態では、２つの施術子１６，１７を備えた頭皮ケア装置１に具体化したが、施術子１６，１７の数を、例えば、１つや４つ等、他の数に変更して具体化してもよい。施術子の数を４つにした構成の例を図６に示す。図６に示す例では、４つの施術子５１はそれぞれ、第１の軸Ｘ１を中心として回転する出力軸５２に連結されるとともに、出力軸５２の駆動力に基づき回転するようになっている。出力軸５２は、平面視で第１の軸Ｘ１を結ぶ線分が矩形となるように構成されている。そして、施術子５１（出力軸５２）間の中心Ｃは、インナーハウジング３の回転軸Ｌ上に位置するように構成されている。また、この図６に示す例では、インナーハウジング３の向きがアウターハウジング２の向きに依らず施術子５１間で挟み上げ動作となる向きに一定に保たれるように、おもりＷの設置位置が設定されている。このような構成によっても上記実施形態と同様の作用効果を得ることができる。
【００３７】
・上記実施形態において、例えば図７（ａ）（ｂ）に示すように、施術子１６，１７が頭皮に接触された状態においてインナーハウジング３がアウターハウジング２に対して回転しないようにロックするロック機構６１を備えてもよい。図７に示す例では、アウターハウジング２の底部２ａの中央には、先端が屈曲する保持部６２が設けられ、保持部６２内には、インナーハウジング３の底部３ａの軸部５を回転可能に支持する含油軸受６３が保持されている。保持部６２の先端とインナーハウジング３の底部３ａとの間には、軸部５に挿入された圧縮コイルばね６４が介在されており、この圧縮コイルばね６４は、保持部６２とインナーハウジング３の底部３ａとを離間させる方向への付勢力を付与する。軸部５とアウターハウジング２の底部２ａとの間には、フェースギア６５が設けられている。
【００３８】
このような構成の頭皮ケア装置１では、例えば、施術子１６，１７が頭皮に接触されてインナーハウジング３がアウターハウジング２側に押圧されると、図７（ａ）に示すように、フェースギア６５が噛合され、アウターハウジング２に対するインナーハウジング３の回転がロックされる。反対に、施術子１６，１７が頭皮に接触していない時等、インナーハウジング３がアウターハウジング２側に押圧されていない状態では、図７（ｂ）に示すように、フェースギア６５の噛合状態が解除され、インナーハウジング３がアウターハウジング２に対して回転可能となる。尚、軸部５には、保持部６２からの抜け止め防止のための鍔部５ａが設けられている。このような構成によれば、頭皮ケア装置１の使用時において、ロック機構６１によりインナーハウジング３の回転ブレを抑制することが可能となる。
【００３９】
・上記実施形態では、軸部５はインナーハウジング３の底部３ａに固定されたが、これ以外に例えば、底部３ａに一体に形成してもよい。
・上記実施形態では、おもりＷはインナーハウジング３の側壁部３ｂの内側面に設けられたが、これ以外に例えば、側壁部３ｂの外側面や、底部３ａに設けてもよい。
【００４０】
・上記実施形態のインナーハウジング３及びアウターハウジング２の形状は、構成に応じて適宜変更しても良い。
・上記実施形態では、インナーハウジング３の重心Ｇを回転軸Ｌからずらすことにより、インナーハウジング３の向きをアウターハウジング２の向きに依らず一定に保つように自動調整可能に構成したが、これに特に限定されるものではない。例えば、インナーハウジング３の回転軸Ｌを中心とする回転角度を自動調整可能な電動の調整機構を設け、この調整機構の駆動力にてインナーハウジング３の向き（回転角度）をアウターハウジング２の向きによらず一定に保つように構成してもよい。
【００４１】
・上記実施形態では、施術子１６，１７が回転駆動される構成の頭皮ケア装置１に具体化したが、これに特に限定されるものではなく、例えば施術子が振動駆動される構成としてもよい。
【符号の説明】
【００４２】
１…頭皮ケア装置、２…アウターハウジング、３…インナーハウジング、１１…電源としてのバッテリ、１４…駆動源としてのモータ、１６，１７，５１…施術子、６１…ロック機構、Ｃ…施術子の中心、Ｇ…インナーハウジングの重心、Ｌ…インナーハウジングの回転軸、Ｗ…おもり。
【図１】
2012045088.tif 000003
【図２】
2012045088.tif 000004
【図３】
2012045088.tif 000005
【図４】
2012045088.tif 000006
【図５】
2012045088.tif 000007
【図６】
2012045088.tif 000008
【図７】
2012045088.tif 000009